(57)【要約】      （修正有）【課題】タング把持容易性および乗員の乗降容易性をより一層向上させつつ、プリテンショナーの本体部の位置を変化させず、しかもプリテンショナーにより緊急時に必要な張力をシートベルトに迅速にかつ効果的に与える。【解決手段】ベルト退避時位置とベルト装着時位置との間で回動可能に設けられたベルトガイド１３によりシートベルト４の先端部４ｃがガイドされるとともにプリテンショナー８の本体部８ａにブラケット８ｆが回転可能に設けられ、更にブラケット８ｆにベルトガイド１３がブラケット８ｆと一体的に回動可能に設けられる。これにより、ベルトガイド１３が回動しても、プリテンショナー８の本体部８ａが回動しなく、本体部８ａに設けられるシリンダ８ｂおよびガスジェネレータも移動しなく、それらの位置が変化しない。【選択図】図２
2015171834.tif 000002
【特許請求の範囲】
【請求項１】
乗員を拘束するシートベルトと、
前記シートベルトを巻き取るシートベルトリトラクタと、
前記シートベルトに摺動可能に支持されたタングと、
前記タングが係脱可能に係止されるバックルと、
前記シートベルトリトラクタから引き出されるシートベルトの先端部を、緊急時に前記シートベルトの先端部の平坦状の面を維持しながら直接引っ張って前記シートベルトに張力を付与するプリテンショナーと、
前記シートベルトの先端部を車両の乗員乗降通路から退避させるベルト退避時位置と乗員による前記タングの把持を容易にするベルト装着時位置との間で移動可能に設けられて、前記シートベルトの先端部をガイドするベルトガイドと、
前記プリテンショナーの本体部に相対移動可能に設けられた移動部材と、
を少なくとも備え、
前記ベルトガイドが前記移動部材に設けられていることを特徴とするシートベルト装置。
【請求項２】
前記プリテンショナーは、前記本体部に設けられて緊急時にガスを発生するガスジェネレータと、前記ガスジェネレータで発生されたガスが導入されるシリンダと、前記シリンダ内に摺動可能に配設されたピストンとを有し、
前記移動部材は、前記シリンダに前記シリンダの長手方向の軸と同軸状にかつ前記シリンダの軸周りに相対回転可能に設けられた回転部材であり、
前記ベルトガイドは前記回転部材に前記回転部材と一体的に回転可能に設けられていることを特徴とする請求項１に記載のシートベルト装置。
【請求項３】
前記ベルトガイドは車両取り付け状態でほぼ車両前後方向に回動可能であり、
前記シリンダは車両取り付け状態でその長手方向がほぼ車両左右方向となるように設けられていることを特徴とする請求項２に記載のシートベルト装置。
【発明の詳細な説明】
【技術分野】
【０００１】
本発明は、車両の衝突時等の通常の減速度より大きな減速度が車両に加えられた緊急時（以下、単に緊急時という）の初期に、シートベルトのラップベルトを引っ張ることでシートベルト（特に、ラップベルト）による乗員の拘束力を高めるプリテンショナーを備えるシートベルト装置の技術分野に属するものである。
【背景技術】
【０００２】
従来、自動車等の車両に装備される３点式のシートベルト装置では、タングがシートベルトリトラクタから引き出されたシートベルトに摺動可能に支持されており、このタングがバックルに係合されることでシートベルトが乗員に装着され、緊急時の初期に、装着されたシートベルトにより乗員が拘束される。その場合、乗員を拘束するシートベルトは、タングにより乗員の肩および胸を拘束するショルダーベルトと乗員の腰を拘束するラップベルトとに区分される。
【０００３】
ところで、従来のシートベルト装置においては、緊急時の初期に、シートベルトのたるみを迅速に除去するとともにシートベルトに張力を付与して、シートベルトによる乗員の拘束力を高めるプリテンショナーを備えたシートベルト装置が種々開発されている。そして、このようなシートベルト装置に用いられるプリテンショナーとして、従来、例えばガスジェネレータで発生した圧力ガスによりシートベルトのラップベルトを引っ張ることによりシートベルトに張力を付与するラッププリテンショナーが提案されている（例えば、特許文献１参照）。
【０００４】
特許文献１に記載のラッププリテンショナーは、緊急時にガスを発生するガスジェネレータ、長手方向が車両前後方向となるように配設されるとともにガスジェネレータが発生したガスが導入されるシリンダ、シリンダ内に気密にかつ摺動可能に配設されるとともにシリンダに導入されされたガスにより作動されるピストン、ガスジェネレータおよびシリンダが設けられる本体部、シートベルトリトラクタから引き出されたシートベルトの先端部（つまり、ラップベルトの一端部）とシリンダ内のピストンとを連結するワイヤからなる連結部材、および本体部に回動可能に設けられて連結部材を覆うカバーを有している。
【０００５】
そして、シートベルトの非装着時はシートベルトリトラクタによりシートベルトが最大限に巻き取られるが、このとき、シートベルトによりラッププリテンショナーのカバーは車両シートのシートバック部のほぼ側方またはシートバック部より若干後方でかつシートバック部の方向とほぼ同方向に回動されて乗員が着座する車両シートのシート部の方向には延出されない。また、乗員が車両シートのシート部に着座した後シートベルトをシートベルトリトラクタから引き出してタングを車両シートの前方へ移動させることで、ラッププリテンショナーのカバーは車両前方へ回動して車両シートのシート部の方へ延出する。これにより、乗員はタングを容易に把持してラッププリテンショナーの位置と車両シートに関し左右方向反対側に配置されるバックルの方へよりスムーズに移動させることができ、移動させたタングをバックルに係合することで、シートベルトが乗員に装着される。
【０００６】
この特許文献１に記載のシートベルト装置では、前述のようにシートベルトの非装着時にラッププリテンショナーのカバーが車両シートのシートバック部のほぼ側方またはシートバック部より若干後方でかつシートバック部の方向とほぼ同方向に延出するため、シートベルトリトラクタから引き出されたシートベルトもシートバック部のほぼ側方またはシートバック部より若干後方に位置する。このため、シートベルトの非装着時にはタングも車両シートのシートバック部のほぼ側方またはシートバック部より若干後方に位置するよ
うになる。しかし、シートベルトの非装着時にタングが当該位置に位置すると、乗員がシートベルトを装着するためにタングを把持する際、把持し難いという問題がある。
【０００７】
そこで、シートベルトの非装着時にシートベルトリトラクタによりシートベルトが最大限に巻き取られても、タングが車両シートのシートバック部より前方でかつ車両シートのシート部より上方に位置するようにすることが考えられる。このようにタングが当該位置に位置することにより、乗員はタングを容易に把持することが可能となる。しかし、シートベルトの非装着時にタングが当該位置に位置すると、タングが支持されるシートベルトの部分も当該位置に位置するようになる。このようにタングおよびタングが支持されるシートベルトの部分が当該位置に位置すると、乗員が車両に対して乗降する際にこれらが邪魔になり、乗員が車両に対して乗降し難いという別の問題が生じる。
【０００８】
また、このようなシートベルトの装着の際のタング把持容易性および乗員の車両に対する乗降容易性をともに向上させたシートベルト装置が提案されている（例えば、特許文献２参照）。特許文献２に記載のシートベルト装置では、シートベルトリトラクタから引き出されたシートベルトのラップベルトの一部をガイドするベルトガイド部材が回動可能に設けられる。そして、シートベルトの非装着時にはベルトガイド部材がスプリングの付勢力により非作動位置に設定される。ベルトガイド部材の非作動位置では、シートベルトおよびタングはシートバック部のほぼ側方またはシートバック部より若干後方に位置する。これにより、乗員の車両に対する乗降の際、シートベルトおよびタングが邪魔にならず、乗員の乗降容易性が向上する。また、乗員がシート部に着座してシートベルトを装着しようとする時には、モータ等の駆動装置でベルトガイド部材が回動されて作動位置に設定される。ベルトガイド部材の作動位置では、タングは車両シートのシートバック部より前方でかつ車両シートのシート部より上方に位置する。これにより、乗員はシートベルトを装着しようとする際タングを容易に把持でき、乗員によるタング把持容易性が向上する。
【０００９】
一方、緊急時の初期に、例えばガスジェネレータで発生した圧力ガスによりバックルを引っ張ることによりシートベルトに張力を付与するバックルプリテンショナーを備えたシートベルト装置が提案されている（例えば、特許文献３参照）。特許文献３に記載のバックルプリテンショナーは、緊急時にガスを発生するガスジェネレータ、長手方向が車両左右方向となるように配設されるとともにガスジェネレータが発生したガスが導入されるシリンダ、シリンダ内に気密にかつ摺動可能に配設されるとともにシリンダに導入されされたガスにより作動されるピストン、ガスジェネレータおよびシリンダが設けられる本体部、バックルとシリンダ内のピストンとを連結するワイヤロープ、および車両前後方向に揺動可能に設けられかつバックルを支持する揺動アームを有している。
【００１０】
また、特許文献３に記載のシートベルト装置では、乗員が車両に乗車しかつシートベルトが装着されない時には、バックルが非使用位置に設定される。バックルはこの非使用位置では、車両に乗車した乗員の邪魔にならない格納位置に保持される。また、車両に乗車した乗員がシート部に着座してタングを把持してシートベルトを装着しようとする時には、バックルはモータ等の駆動装置で使用位置に設定される。バックルの使用位置では、乗員はタングをバックルに容易に係合することが可能となる。
【先行技術文献】
【特許文献】
【００１１】
【特許文献１】特開２０１３−１６３５０２号公報。
【特許文献２】特開昭５９−１４５６４３号公報。
【特許文献３】特開２００７−１１８７７６号公報。
【発明の概要】
【発明が解決しようとする課題】
【００１２】
ところで、特許文献１に記載のプリテンショナーを備えるシートベルト装置においてシートベルトの装着の際のタング把持容易性および車両に対する乗員の乗降容易性をともに向上させるため、特許文献２に記載のシートベルト装置を適用することが考えられる。しかしながら、特許文献２に記載のシートベルト装置ではラッププリテンショナーが設けられていない。このため、このシートベルト装置では、タングおよびこのタングを支持するシートベルトの部分のそれぞれの位置が単に変更されてタング把持容易性および乗員の乗降容易性がともに向上されるだけであり、タングおよびシートベルトの各位置の変更によるラッププリテンショナーの機能への影響が考慮されていない。すなわち、ラッププリテンショナーは緊急時にラップベルトを迅速に引っ張ることによりシートベルトに張力を効果的に付与するという機能が求められるが、特許文献２に記載のシートベルト装置では、この機能がタングおよびシートベルトの各位置が変更しても安定して発揮されることについては考慮されていない。したがって、特許文献１に記載のシートベルト装置に特許文献２に記載のシートベルト装置を単純に適用することは難しい。
【００１３】
また、特許文献３に記載のプリテンショナーを備えるシートベルト装置では、緊急時にバックルプリテンショナーで引っ張られるバックルは、車両シートに関して乗員の車両に対する乗降する側と反対側に設けられるものである。このため、バックルの位置が変更されてもタング把持容易性および乗員の乗降容易性は影響されない。したがって、特許文献３に記載のシートベルト装置では、タング把持容易性および乗員の乗降容易性については考慮されておらず、特許文献１に記載のシートベルト装置に特許文献３に記載のシートベルト装置を単純に適用することは難しい。
【００１４】
更に、特許文献１に記載のラッププリテンショナーを備えるシートベルト装置では、ガスジェネレータが発生したガスが導入されるシリンダがその長手方向を車両前後方向となるように配設されている。そして、連結部材を覆うカバーがこのシリンダに車両前後方向に回動可能に設けられている。このため、シリンダの方向とカバーの回動方向とが同一方向となるように一義的に決定される。ところで、車両によってはラッププリテンショナーのシリンダを車両前後方向と異なる方向に設けることを要求される場合が生じる。しかしながら、シリンダを車両前後方向と異なる方向に設けた場合、シートベルトが連結されるカバーの回動方向も車両前後方向と異なる方向になってしまう。このため、タングは乗員に容易に把持することが難しい位置となることが考えられる。
【００１５】
そこで、特許文献１に記載のラッププリテンショナーを備えるシートベルト装置に、特許文献３に記載のバックルプリテンショナーを備えるシートベルト装置を適用することが考えられる。すなわち、特許文献３に記載のようにプリテンショナーのシリンダを車両左右方向に設けるとともにバックルを支持する揺動アームを車両前後方向に設ける技術事項を特許文献１に記載のシートベルト装置に適用することが考えられる。しかし、特許文献３に記載の前述の技術事項では、揺動アームがプリテンショナーのシリンダが一体的に回動するように設けられているため、特許文献３に記載の技術事項を特許文献１に記載のシートベルト装置に単純に適用すると、ラッププリテンショナーのシリンダを含む本体部も揺動アームの回動とともに回動してその位置が変化してしまう。このため、本体部に設けられたガス発生器およびそのコネクタも回動するので、ガス発生器のコネクタとハーネスの接続位置が変化してしまうという問題が考えられる。しかも、プリテンショナーのシリンダおよびガスジェネレータの回動がプリテンショナーの作動に影響を及ぼすことが考えられる。したがって、これによっても特許文献１に記載のシートベルト装置に特許文献３に記載のシートベルト装置を単純に適用することは難しい。
【００１６】
本発明はこのような事情を鑑みてなされたものであって、その目的は、タング把持容易性および乗員の乗降容易性をともにより一層向上させることができるようにしつつ、プリ
テンショナーの本体部の位置が変化しないようにでき、しかもプリテンショナーにより緊急時に必要な張力をシートベルト（特に、ラップベルト）に迅速にかつ効果的に与えることができるシートベルト装置を提供することである。
【課題を解決するための手段】
【００１７】
前述の課題を解決するために、本発明のシートベルト装置は、乗員を拘束するシートベルトと、前記シートベルトを巻き取るシートベルトリトラクタと、前記シートベルトに摺動可能に支持されたタングと、前記タングが係脱可能に係止されるバックルと、前記シートベルトリトラクタから引き出されるシートベルトの先端部を、緊急時に前記シートベルトの先端部の平坦状の面を維持しながら直接引っ張って前記シートベルトに張力を付与するプリテンショナーと、前記シートベルトの先端部を車両の乗員乗降通路から退避させるベルト退避時位置と乗員による前記タングの把持を容易にするベルト装着時位置との間で移動可能に設けられて、前記シートベルトの先端部をガイドするベルトガイドと、前記プリテンショナーの本体部に相対移動可能に設けられた移動部材とを少なくとも備え、前記ベルトガイドが前記移動部材に設けられていることを特徴としている。
【００１８】
また、本発明のシートベルト装置は、前記プリテンショナーが、前記本体部に設けられて緊急時にガスを発生するガスジェネレータと、前記ガスジェネレータで発生されたガスが導入されるシリンダと、前記シリンダ内に摺動可能に配設されたピストンとを有し、前記移動部材が、前記シリンダに前記シリンダの長手方向の軸と同軸状にかつ前記シリンダの軸周りに相対回転可能に設けられた回転部材であり、前記ベルトガイドが前記回転部材に前記回転部材と一体的に回転可能に設けられていることを特徴としている。
【００１９】
更に、本発明のシートベルト装置は、前記ベルトガイドが車両取り付け状態でほぼ車両前後方向に回動可能であり、前記シリンダが車両取り付け状態でその長手方向がほぼ車両左右方向となるように設けられていることを特徴としている。
【発明の効果】
【００２０】
このように構成された本発明のシートベルト装置によれば、ベルトガイドがシートベルトの先端部を車両の乗員乗降通路から退避させるベルト退避時位置と乗員によるタングの把持を容易にするベルト装着時位置との間で移動可能に設けられる。これにより、前述の特許文献２に記載されているシートベルト装置と同様に車両に対する乗員の乗降容易性およびタングの把持容易性をより一層向上することができる。
【００２１】
これに加えて、本発明のシートベルト装置によれば、プリテンショナーの本体部に移動部材が相対移動可能に設けられるとともに、移動部材にベルトガイドが移動部材と一体的に移動可能に設けられる。これにより、ベルトガイドが移動しても、プリテンショナーの本体部が移動しないようにすることができる。したがって、ベルトガイドが移動しても、本体部に設けられるシリンダおよびガスジェネレータも移動しなく、それらの位置が変化することを阻止できる。その結果、図示しないハーネスに接続されるガスジェネレータの図示しないコネクタの位置も変化することを阻止でき、プリテンショナーの設置作業やガスジェネレータのコネクタへのハーネスの接続作業を、より一層簡単にすることができる。
【００２２】
しかも、プリテンショナーのシリンダおよびガスジェネレータが移動しないので、緊急時にプリテンショナーによりシートベルトの先端部が引っ張られたとき、シートベルトの先端部をより安定して引っ張ることが可能となる。これにより、緊急時にプリテンショナーにより必要な張力をシートベルト（特に、ラップベルト）に迅速にかつ効果的に与えることができ、プリテンショナーによる乗員拘束を効果的に行うことができる。
【００２３】
こうして、本発明のシートベルト装置によれば、タング把持容易性および乗員の乗降容易性をともにより一層向上させつつ、プリテンショナーの本体部の位置が変化しないようにでき、しかもプリテンショナーにより緊急時に必要な張力をシートベルトに迅速にかつ効果的に与えることができるようになる。
【００２４】
更に、車両によってプリテンショナーのシリンダをベルトガイドが移動する車両前後方向と異なる方向に設けることを要求される場合が生じても、移動部材によりシリンダをベルトガイドの移動方向と異なる方向に容易に設けることが可能となる。
【００２５】
更に、移動部材が  シリンダにシリンダの長手方向の軸と同軸状にかつシリンダの軸周りに相対回転可能に設けられた回転部材で構成されるとともに、ベルトガイドが回転部材にこの回転部材と一体的に回転可能に設けられることで、プリテンショナーとベルトガイドとの全体構成をコンパクトに形成することが可能となる。
【図面の簡単な説明】
【００２６】
【図１】本発明にかかるシートベルト装置の実施の形態の一例を模式的に示す図である。
【図２】この例のシートベルト装置におけるプリテンショナーおよびシートベルトの先端部をガイドするベルトガイドを車両の右方向から見て模式的に示す図である。
【図３】図２におけるIII−III線に沿う断面図である。
【図４】ベルトガイドの作動を説明する斜視図である。
【発明を実施するための形態】
【００２７】
以下、図面を用いて本発明を実施するための形態について説明する。
図１は本発明にかかるシートベルト装置の実施の形態の一例を模式的に示す図である。
【００２８】
図１に示すように、この例のシートベルト装置１は、基本的には従来公知の三点式シートベルト装置と同じである。図中、従来公知の部分の構成において、１はシートベルト装置、２は車両シート、３は車両シート２の近傍に配設されたシートベルトリトラクタ、４はウェビングで形成されてシートベルトリトラクタ３に引き出し可能に巻き取られるとともに緊急時に乗員Ｍを拘束するシートベルト、５はシートベルトリトラクタ３から引き出されたシートベルト４を乗員Ｍのショルダーの方へガイドするガイドアンカー、６はこのガイドアンカー５からガイドされてきたシートベルト４に摺動自在に支持されたタング、７は車体の床あるいは車両シートに固定されかつタング６が係脱可能に挿入係合されるバックルである。シートベルト４は乗員Ｍの肩および胸等を拘束するショルダーベルト４ａと乗員Ｍの腰等を拘束するラップベルト４ｂとを含む。
このシートベルト装置１におけるシートベルト４の装着操作および装着解除操作も、従来公知のシートベルト装置と同じである。
【００２９】
また、図１に示すようにこの例のシートベルト装置１は、シートベルトリトラクタ３から引き出されたシートベルト４の先端部４ｃ（つまり、シートベルト４のラップベルト４ｂからシートベルト４の先端側に続く部分）はプリテンショナー８に接続されている。プリテンショナー８は車両シート２に関しバックル７と反対側の車両における乗員Ｍの乗降側に配置されてこの車両の車体フレームの車両前後方向フレーム９に配置されて固定されている。このプリテンショナー８は、従来公知のラッププリテンショナーと同様にラッププリテンショナーとして機能し、前述の緊急時の初期に作動してラップベルト４ｂを引っ張って緊張し、シートベルト４（特に、ラップベルト４ｂ）による乗員Ｍの拘束力を高めるものである。
【００３０】
図２はこの例のシートベルト装置におけるプリテンショナーおよびシートベルトの先端
部をガイドするベルトガイドを車両の右方向から見て模式的に示す図、図３は図２におけるIII−III線に沿う断面図、図４はベルトガイドの作動を説明する斜視図である。
【００３１】
この例のシートベルト装置１のプリテンショナー８は、特許文献１に記載されているプリテンショナーと同じかまたは実質的に同じである。図１ないし図３に示すように、このプリテンショナー８は、車両前後方向フレーム９に固定される本体部８ａを備えている。この本体部８ａには、シリンダを有する従来のプリテンショナーと同様にプリテンショナー８のシリンダ８ｂが固定されているとともに、プリテンショナー８のガスジェネレータ８ｄが設けられている。シリンダ８ｂはその長手方向が車両左右方向となるように配設されている。また、シリンダ８ｂ内にはピストン８ｅが気密にかつ摺動可能に設けられており、このピストン８ｅにはワイヤロープからなる可撓性の連結部材１０の一端が連結されている。連結部材１０の他端にはリング状コネクタ１１が連結されているとともに、このリング状コネクタ１１にシートベルト４の先端部４ｃが連結されている。
【００３２】
また、プリテンショナー８のシリンダ８ｂのヘッド８ｃには、本発明の移動部材に相当するブラケット８ｆが回動可能に支持されているとともに、このブラケット８ｆは本体部８ａに車両前後方向に回動可能に支持されている。更に、ブラケット８ｆには、ガイド部材１２およびベルトガイド１３が支持されている。したがって、ブラケット８ｆ、ガイド部材１２、およびベルトガイド１３は、互いに一体的に車両前後方向に回動可能となっている。
【００３３】
ガイド部材１２は連結部材１０をほぼ直角に曲げるようにガイドする。また、ベルトガイド１３は横断面がほぼ矩形角筒状に形成されているとともに、その平坦状の面１３ａ,
１３ｂがほぼ鉛直面となる状態で車両前後方向に回動（つまり、移動）するようにされている。ほぼ矩形角筒状のベルトガイド１３の両端は開放されている。そして、連結部材１０およびリング状コネクタ１１がベルトガイド１３内に移動可能に設けられている。その場合、ピストン８ｅに連結された連結部材１０はシリンダ８ｂに対して気密にかつ摺動可能に設けられるとともにシリンダ８ｂから延設され、更にガイド部材１２でほぼ直角に曲げられてベルトガイド１３内に位置するようになる。したがって、連結部材１０およびリング状コネクタ１１もベルトガイド１３の回動に伴って車両前後方向に回動するようになっている。そして、緊急時にガスジェネレータ８ｄで発生したガスがシリンダに導入されることでピストン８ｅが引っ張り力を発生し、この引っ張り力により連結部材１０およびリング状コネクタ１１を介してシートベルト４の先端部４ｃが引っ張られる。これにより、シートベルト４（特に、ラップベルト４ｂ）に張力が付与されて、乗員はシートベルト４により拘束される。
【００３４】
ベルトガイド１３は、図示しないモータ等の駆動装置により回動される。図４に示すようにベルトガイド１３は、通常時位置Ａ、ベルト退避時位置Ｂ、およびベルト装着時位置Ｃの３つの位置が設定されていて、これらの３つの位置の間で回動するようになっている。その場合、ベルトガイド１３の回動時にはブラケット８ｆは回転するが、プリテンショナー８の本体部８ａは回転しない。したがって、本体部８ａに設けられるシリンダ８ｂおよびガスジェネレータ８ｄも回動しなく、それらの位置は変化しない。これにより、図示しないハーネスに接続されるガスジェネレータ８ｄの図示しないコネクタの位置も変化しない。その結果、プリテンショナー８の設置作業やガスジェネレータ８ｄのコネクタへのハーネスの接続作業が煩雑とならず、より一層簡単になる。
【００３５】
通常時位置Ａは、シートベルト４の非装着時でかつシートベルト４がシートベルトリトラクタ３により最大限に巻き取られているときに設定される位置である。ベルトガイド１３のこの通常時位置Ａでは、ガイドアンカー５からガイドされたシートベルト４はベルトガイド１３に向かってほぼ直線状となる。
【００３６】
また、ベルト退避時位置Ｂは、シートベルト４の非装着時でかつベルトガイド１３が最大に車両後方に回動された位置である。図４に示すように、この例のベルトガイド１３のこのベルト退避時位置Ｂでは、ベルトガイド１３はプリテンショナー８と車両左右方向に重なるようになるが、ベルトガイド１３とプリテンショナー８とは互いに干渉しないようになっている。特に、プリテンショナー８が比較的薄い厚みで小型コンパクトに構成されることで、ベルトガイド１３とプリテンショナー８との全体構成がコンパクトに形成されている。
【００３７】
更に、ベルトガイド１３のベルト退避時位置Ｂでは、ガイドアンカー５からガイドされたシートベルト４は車両シート２のシートバック部２ａの側方かまたはシートバック部２ａより若干後方に位置するようになる。したがって、ベルトガイド１３およびシートベルト４が車両の乗員乗降口を含む乗員乗降通路から退避して乗員が車両に対して乗降する際に、これらのベルトガイド１３およびシートベルト４が乗員の乗降に邪魔にならず、乗員は車両に対してよりスムーズに乗降することが可能となる。これにより、乗員の乗降容易性がより一層向上される。
【００３８】
更に、ベルト装着時位置Ｃは、ベルトガイド１３が最大に車両前方に回動された位置である。ベルトガイド１３のこのベルト装着時位置Ｃでは、シートベルト４に支持されたタング６が車両シート２におけるシート部２ａの前部の側方でかつシート部２ａより上方に位置するようになる。したがって、乗員がシートベルト４を装着をするためにタング６を把持する際に、乗員はタング６を容易に把持することが可能となる。これにより、タング把持容易性がより一層向上される。そして、図示しない制御装置（ＥＣＵ）により駆動装置が制御されることで、これらの３つの位置のいずれかの位置に択一的に設定保持される。
【００３９】
ベルトガイド１３の前述の３つの位置の設定は、それぞれの位置に対応して予め設定された条件が成立したとき制御装置（ＥＣＵ）により駆動装置を作動制御することで行われる。すなわち、ベルトガイド１３の通常時位置Ａの設定条件は、例えば車両シート２に乗員が着座していないことを着座スイッチ等で検知しかつドアスイッチ等で車両のドアが閉められていることを検知した時等である。また、ベルトガイド１３のベルト退避時位置Ｂの設定条件は、例えば車両シート２に乗員が着座していないことを着座スイッチ等で検知しかつドアスイッチ等で車両のドアが開けられたことを検知した時、および車両シート２に乗員が着座していることを着座スイッチ等で検知しかつタング６がバックル７から解離していることをバックルスイッチ等で検知するとともに、ドアスイッチ等で車両のドアが開けられたことを検知した時等である。更に、ベルトガイド１３のベルト装着時位置Ｃの設定は、車両シート２に乗員が着座していることを着座スイッチ等で検知しかつ車両のドアがドアスイッチ等で閉められていることを検知した時等である。もちろん、ベルトガイド１３の３つの位置の設定条件は、これらの条件に限定されることはなく、各位置の設定にそれぞれ必要である他の条件を用いることもできる。
【００４０】
このように構成されたこの例のシートベルト装置１によれば、シートベルト４の先端部４ｃをガイドするベルトガイド１３がシートベルト４およびタング６を車両の乗員乗降口を含む乗員乗降通路から退避させるベルト退避時位置Ｂと乗員によるタング６の把持を容易にするベルト装着時位置Ｃとの間で回動可能に設けられる。これにより、前述の特許文献２に記載されているシートベルト装置と同様に車両に対する乗員の乗降容易性およびタングの把持容易性をより一層向上することができる。特に、この例のシートベルト装置１を２ドアの車両後部座席に対して設けることで、車両に対する乗員の乗降容易性をより効果的に向上させることができる。
【００４１】
これに加えて、この例のシートベルト装置１によれば、プリテンショナー８のシリンダ８ｂのヘッド８ｃにはブラケット８ｆが回動可能に設けられるとともに、ベルトガイド１３がブラケット８ｆと一体的に車両前後方向に回動可能に設けられる。これにより、ベルトガイド１３が回動しても、プリテンショナー８の本体部８ａが回動しないようにすることができる。したがって、本体部８ａに設けられるシリンダ８ｂおよびガスジェネレータ８ｄも回動しなく、それらの位置が変化することを阻止できる。その結果、図示しないハーネスに接続されるガスジェネレータ８ｄの図示しないコネクタの位置も変化することを阻止でき、プリテンショナー８の設置作業やガスジェネレータ８ｄのコネクタへのハーネスの接続作業を、より一層簡単にすることができる。しかも、プリテンショナー８とベルトガイド１３との全体構成をコンパクトに形成することが可能となる。
【００４２】
しかも、プリテンショナー８のシリンダ８ｂおよびガスジェネレータ８ｄが回動しないので、緊急時にプリテンショナー８によりシートベルト４の先端部４ｃが引っ張られたとき、シートベルト４の先端部４ｃをより安定して引っ張ることが可能となる。これにより、緊急時にプリテンショナー８により必要な張力をシートベルト４（特に、ラップベルト４ｂ）に迅速にかつ効果的に与えることができ、プリテンショナー８による乗員拘束を効果的に行うことができる。
【００４３】
こうして、この例のシートベルト装置１によれば、タング把持容易性および乗員の乗降容易性をともにより一層向上させつつ、プリテンショナーの本体部の位置が変化しないようにでき、しかもプリテンショナー８により緊急時に必要な張力をシートベルト４（特に、ラップベルト４ｂ）に迅速にかつ効果的に与えることができるようになる。
【００４４】
更に、車両によってプリテンショナー８のシリンダ８ａをベルトガイド１３が回動する車両前後方向と異なる方向に設けることを要求される場合が生じても、ブラケット８ｃによりシリンダ８ｂをベルトガイド１３の回動方向と異なる方向に容易に設けることが可能となる。
【００４５】
なお、本発明のシートベルト装置は、本発明の前述の実施の形態の例に限定されることはない。例えば、前述の例では、シートベルト４の先端部４ｃが連結されるリング状コネクタ１１をガイド部材１２よりラップベルト４ｂ側に位置するように設けているが、このリング状コネクタ１１をガイド部材１２よりプリテンショナー８側に位置するように設けることもできる。また、前述の例では、シートベルト４の先端部４ｃを連結部材１０を介してシリンダ８ｂ内のピストン８ｅに連結するようにしているが、シートベルト４の先端部４ｃをシリンダ８ｂ内のピストン８ｅに直接連結することもできる。これらの場合は、いずれもガイド部材１２はシートベルト４の先端部４をそのほぼ平坦な面を維持しながらほぼ直角に曲げてガイドするようになる。これにより、緊急時にプリテンショナー８はシートベルト４を安定して効果的に引っ張ることが可能となる。更に、前述の各例では、ベルトガイド１３がモータ等の駆動装置により回動されるようになっているが、必ずしもこれに限定されることはなく、ベルトガイド１３は手動により前述の３つの位置の間で回動するようにすることもできる。この場合には、駆動装置が不要となるとともに、通常時位置Ａ、ベルト退避時位置Ｂ、およびベルト装着時位置Ｃの各位置にそれぞれ対応する条件も設定する必要もない。また、前述の３つの位置のうち、通常時位置Ａは必ずしも必要ではなく省略することができるか、あるいは、ベルト退避時位置Ｂおよびベルト装着時位置Ｃのいずれかの位置と同じ位置設定することもできる。要は、本発明は特許請求の範囲に記載されている事項の範囲内で種々設計変更可能である。
【産業上の利用可能性】
【００４６】
本発明のシートベルト装置は、車両衝突等の緊急時の初期に、シートベルト（特に、ラップベルト）を引っ張ることでシートベルトによる乗員の拘束力を高めるプリテンショナ
ーを備えるシートベルト装置に好適に利用することができる。
【符号の説明】
【００４７】
１…シートベルト装置、２…車両シート、２ａ…シートバック部、２ｂ…シート部、３…シートベルトリトラクタ、４…シートベルト、４ａ…ショルダーベルト、４ｂ…ラップベルト、４ｃ…先端部、５…ガイドアンカー、６…タング、７…バックル、８…プリテンショナー、８ａ…本体部、８ｂ…シリンダ、８ｃ…ヘッド、８ｄ…ガスジェネレータ、８ｅ…ピストン、８ｆ…ブラケット、９…車両前後方向フレーム、１０…連結部材、１１…リング状コネクタ、１２…ガイド部材、１３…ベルトガイド、Ｍ…乗員
【図１】
2015171834.tif 000003
【図２】
2015171834.tif 000004
【図３】
2015171834.tif 000005
【図４】
2015171834.tif 000006